(57)【要約】【課題】構成部材に損傷を与え難く回動レバーの固定機能を長期間にわたって維持することができるハンドル装置を提供する。【解決手段】発射ハンドルＨの回動レバー２０における指掛け部２２ａの内側に、弾性変形自在な固定補助部材５５を着脱可能に収容保持する補助部材収容部４０を設け、この補助部材収容部４０に固定補助部材５０が回動レバーの内周方向に突出可能な開口部を形成し、固定補助部材５０が外力を受けて弾性変形したときに開口部から突出した固定補助部材４０がハンドルベース１０側の支持フランジ部１３と係合して回動レバー２０が固定されるようにハンドル装置を構成する。【選択図】  図２
2004298377.tif 000002
【特許請求の範囲】
【請求項１】
遊技盤と、回動操作可能に構成された発射ハンドルと、前記発射ハンドルの回動角度位置に応じた発射強度で前記遊技盤に遊技球を発射する発射機構部とを備える弾球遊技機において、
前記発射ハンドルは、遊技機本体側に固定されて前方に突出する支軸部および該支軸部の前端側に略円形に形成された支持フランジ部を有するハンドルベースと、外周方向に突出する指掛け部を有して前記支持フランジ部に対して回動可能に支持された回動レバーとを備え、
前記指掛け部の内側には、弾性変形自在な固定補助部材を着脱可能に収容保持する補助部材収容部が設けられ、
前記補助部材収容部には、前記固定補助部材が外力を受けて弾性変形したときに当該固定補助部材を前記回動レバーの内周側に突出させる開口部が設けられており、前記開口部から突出した固定補助部材が前記支持フランジ部と係合して前記回動レバーが固定されるように構成されていることを特徴とする弾球遊技機のハンドル装置。
【請求項２】
遊技盤と、回動操作可能に構成された発射ハンドルと、前記発射ハンドルの回動角度位置に応じた発射強度で前記遊技盤に遊技球を発射する発射機構部とを備える弾球遊技機において、
前記発射ハンドルは、遊技機本体側に固定されて前方に突出する支軸部および該支軸部の前端側に略円形に形成された支持フランジ部を有するハンドルベースと、外周方向に突出する指掛け部を有して前記支持フランジ部に対して回動可能に支持された回動レバーとを備え、
前記指掛け部の内側には、弾性変形自在な固定補助部材を着脱可能に収容保持する補助部材収容部が設けられ、
前記補助部材収容部には、前記回動レバーを固定する固定位置および固定を解除する解除位置に変移操作が可能な固定操作部材と、前記固定操作部材が前記固定位置にあるときに前記固定補助部材を内周側に突出させる開口部とが設けられ、
前記支持フランジ部には、前記開口部から突出した前記固定補助部材と係脱可能な固定受け部が設けられており、
前記固定操作部材が前記固定位置に位置されて前記開口部から前記固定補助部材が突出したときに、当該突出した固定補助部材と前記固定受け部とが係合して前記支持フランジ部に対して前記回動レバーが固定されるように構成されていることを特徴とする弾球遊技機のハンドル装置。
【発明の詳細な説明】
【０００１】
【発明の属する技術分野】
本発明は、遊技盤と、回動操作可能に構成された発射ハンドルと、発射ハンドルの回動角度位置に応じた発射強度で遊技盤に遊技球を発射する発射機構部とを備える弾球遊技機のハンドル装置に関する。
【０００２】
【従来の技術】
パチンコ機に代表される弾球遊技機の電動式発射装置には、従来から遊技球の発射強度を調整するための発射ハンドルが設けられている。発射ハンドルの構成は電動式発射装置における駆動源の種類によって多少の形態上の違いがあるが、駆動源にロータリーソレノイドを採用した場合を例示すれば、発射強度調整用の可変抵抗器、発射装置をオンオフするスイッチ、遊技者の操作有無を検出するタッチ検出器等が設けられており、発射ハンドルの基体となるハンドルベースとこのハンドルベースの前端に設けられたキャップ体との間に回動可能に挟持された回動レバー（「グリップ」ともいう）を回動操作することにより、その回動角度位置に応じた発射強度で遊技球が遊技盤に向けて発射されるように構成される。回動レバーは、例えば捻りバネ等の付勢手段によって非発射状態となる基準角度位置方向に常時付勢されており、遊技終了等で遊技者が手を離したときに回動レバーが自動的に基準角度位置に戻るようになっている。
【０００３】
このため、遊技盤面の所定位置を狙って一定の発射強度で連続的に遊技球を発射させようとするときには、遊技者は付勢手段の付勢力に抗して回動レバーを一定の角度位置に保持する必要があるが、このような保持操作は長時間遊技を行う遊技者にとって苦痛を伴うものである。そこで、遊技者の中には回動レバーとハンドルベースとの間、あるいは回動レバーとキャップ体との間の微少な隙間に、コインやメダル等の硬質の部材を挟み込んで回動レバーを所望の角度位置に固定し、軽く手を添えて遊技を行っている者も多く見うけられる。
【０００４】
このように、回動レバーとハンドルベースとの間や回動レバーとキャップ体との間の隙間にコイン等を強引にねじ込む行為が繰り返して行われると、回動レバーの支持部に無理な負荷がかかるうえ、一般に樹脂成型で形成される各部材が変形し、削り取られて隙間が拡大し、あるいはひび割れが生じるなどして、最終的には発射ハンドルが破壊されてしまうこともある。そこで、破壊につながるような損傷を避けるため、例えば回動レバーに固定用の遊技球を嵌め込み得る遊技球収容部を形成し、この遊技球収容部に固定用の遊技球を嵌め込んでハンドルベースとの間に挟持させることで、コイン等を無理に挿入しなくても回動レバーを所望の角度位置に固定保持させることができるハンドル装置が提案されている（例えば、特許文献１、特許文献２）。
【０００５】
【特許文献１】
特許第２９４２４７０号公報
【特許文献２】
登録実用新案第２６０２０３８号公報
【０００６】
【発明が解決しようとする課題】
しかしながら、上記特許文献に記載されたような構成のハンドル装置であっても、樹脂成型された部材間にこれよりも硬質の部材を挟み込んで固定することに変わりがなく、また挟持間隔よりも大きめの部材を挟み込んで樹脂成型部材の撓みを利用して固定する点でも同様のものであった。このため、遊技球を嵌め込む遊技球収容部や嵌め込まれた遊技球と係合するハンドルベースあるいはキャップ体の係合面が、長期間の使用によって摩耗しあるいは変形してしまうという問題や、このような摩耗・変形に伴って回動レバーの固定機能が十分に果たせなくなるという問題、喪失した固定機能を回復させるためには発射ハンドルをユニットごと交換しなければならないという問題などがあった。
【０００７】
本発明は、このような問題に鑑みてなされたものであり、ハンドルベースや回動レバーに摩耗や変形等の損傷を与え難く、回動レバーの固定機能を長期間にわたって維持することができるとともに、たとえ固定機能が低下してきた場合であっても、簡便かつ安価に固定機能を回復させることができるハンドル装置を提供することを目的とする。
【０００８】
【課題を解決するための手段】
上記目的達成のため、第１の本発明は、遊技盤と、回動操作可能に構成された発射ハンドルと、発射ハンドルの回動角度位置に応じた発射強度で遊技盤に遊技球を発射する発射機構部とを備える弾球遊技機において、発射ハンドルは、遊技機本体側に固定されて前方に突出する支軸部およびこの支軸部の前端側に略円形に形成された支持フランジ部を有するハンドルベースと、外周方向に突出する指掛け部を有して支持フランジ部に対して回動可能に支持された回動レバーとを備え、指掛け部の内側には弾性変形自在な固定補助部材を着脱可能に収容保持する補助部材収容部が設けられ、補助部材収容部には固定補助部材が外力を受けて弾性変形したときに当該固定補助部材を回動レバーの内周側に突出させる開口部が形成されており、開口部から突出した固定補助部材が支持フランジ部と係合して回動レバーが固定されるように弾球遊技機のハンドル装置を構成する。
【０００９】
上記構成のハンドル装置では、回動レバーにおける指掛け部の内側に補助部材収容部が設けられ、この補助部材収容部に弾性変形自在な固定補助部材が着脱可能に収容保持されている。補助部材収容部には固定補助部材が外力を受けて弾性変形したときに固定補助部材を回動レバーの内周側に突出させる開口部が設けられており、例えば、補助部材収容部の外郭壁面と固定補助部材との間にコイン等が挿入されて押圧力を受けた固定補助部材が弾性変形したときに、弾性変形した固定補助部材がこの開口部から回動レバーの内周側に突出する。そして開口部から突出した固定補助部材がハンドルベース側の支持フランジ部と係合し回動レバーが固定される。
【００１０】
このように、本構成のハンドル装置では、ハンドルベースや回動レバーを撓み変形させるのではなく、弾性変形自在な固定補助部材を設けこれを弾性変形させて支持フランジ部と係合させることで回動ハンドルを固定する構成のため、ハンドルベースや回動レバー等に摩耗・変形等の損傷を与え難く、回動レバーの固定機能を長期間にわたって維持することができる。また、固定補助部材が補助部材収容部に着脱可能に収容保持されているため、長期間の使用によって固定補助部材が摩耗し、あるいは経年変化で固定補助部材が劣化して固定機能が低下してきたとしても、固定補助部材を着脱交換すれば当該機能を回復させることができ、簡便かつ安価に機能回復を実現できる。
【００１１】
また、前記目的達成のため、第２の本発明は、遊技盤と、回動操作可能に構成された発射ハンドルと、発射ハンドルの回動角度位置に応じた発射強度で遊技盤に遊技球を発射する発射機構部とを備える弾球遊技機において、発射ハンドルは、遊技機本体側に固定されて前方に突出する支軸部およびこの支軸部の前端側に略円形に形成された支持フランジ部を有するハンドルベースと、外周方向に突出する指掛け部を有して支持フランジ部に対して回動可能に支持された回動レバーとを備える。指掛け部の内側には弾性変形自在な固定補助部材を着脱可能に収容保持する補助部材収容部が設けられ、この補助部材収容部には、回動レバーを固定する固定位置および固定を解除する解除位置に変移操作が可能な固定操作部材と、固定操作部材が固定位置にあるときに固定補助部材を内周側に突出させる開口部とが設けられ、支持フランジ部には、開口部から突出した固定補助部材と係脱可能な固定受け部が設けられており、固定操作部材が固定位置に位置されて開口部から固定補助部材が突出したときに、当該突出した固定補助部材と固定受け部とが係合して支持フランジ部に対して回動レバーが固定されるように弾球遊技機のハンドル装置を構成する。
【００１２】
上記構成のハンドル装置では、回動レバーにおける指掛け部の内側に補助部材収容部が設けられ、この補助部材収容部に、弾性変形自在な固定補助部材が着脱可能に収容保持されるとともに、回動レバーを固定する固定位置と固定を解除する解除位置とに変移操作が可能な固定操作部材が設けられている。補助部材収容部には固定操作部材が固定位置にあるときに固定補助部材を内周側に突出させる開口部が形成される一方、支持フランジ部には、開口部から突出した固定補助部材と係脱可能な固定受け部が設けられている。そして、固定操作部材が固定位置に位置されると固定補助部材がこの開口部から突出し、当該突出した固定補助部材と固定受け部とが係合して回動レバーが固定される。
【００１３】
このように、本構成のハンドル装置では、ハンドルベースや回動レバーを撓み変形させるのではなく、固定操作部材を固定位置に操作して固定補助部材を開口部から突出させ、支持フランジ部側の固定受け部に係合させて回動ハンドルを固定する構成のため、ハンドルベースや回動レバーに摩耗・変形等の損傷を極めて与え難く、回動レバーの固定機能を長期間にわたって維持することができる。また、固定補助部材が補助部材収容部に着脱可能に収容保持されているため、長期間の使用によって固定補助部材が摩耗し、あるいは経年変化で固定補助部材が劣化して固定機能が低下してきたとしても、固定補助部材を着脱交換すれば当該機能を回復させることができ、簡便かつ安価に機能回復を実現できる。さらに、回動レバーを固定する固定操作部材が設けられているため、遊技者にとっては長時間の遊技でも苦痛を伴うことなく楽しむことができ、遊技施設にとってはコインや遊技球等の硬質物の挿抜による発射ハンドルの損傷を回避して点検工数や交換工数を削減することができる。
【００１４】
【発明の実施の形態】
以下、本発明の好ましい実施形態について添付図面を参照しながら説明する。本発明に係るハンドル装置を備えた弾球遊技機の一例として、図１にパチンコ機ＰＭの正面図を示しており、まずこの図面を参照しながらパチンコ機ＰＭの概要構成について説明する。
【００１５】
パチンコ機ＰＭは、外郭方形枠サイズに構成されて縦向きの固定保持枠をなす外枠１の開口前面に、これに合わせた方形枠サイズに構成されて開閉搭載用の前枠２が互いの正面左側に配設されたヒンジ機構３ａ，３ｂで横開き開閉および着脱が可能に取り付けられ、正面右側に設けられた施錠装置４を利用して常には外枠１と係合された閉鎖状態に保持される。
【００１６】
前枠２の前面上部には、前枠２の前面域に合わせた方形状のガラス扉５および球皿ユニット６が正面左側に設けられたヒンジ機構で横開き開閉および着脱が可能に取り付けられ、正面右側に設けられた施錠装置４および球皿施錠装置を利用して前枠２の前面を覆う閉鎖状態に保持される。ガラス扉５の背後には遊技盤７を立設姿勢で収容する収容枠が前枠２と一体に成型されており、この収容枠に遊技盤７が着脱可能に収容保持され、常には閉鎖保持されるガラス扉５にその前面を臨ませている。球皿ユニット６の前面下部には、遊技球の発射操作を行う発射ハンドルＨが取り付けられている。
【００１７】
遊技盤７の前面には、上下のレール飾りに囲まれて略円形の遊技領域ＰＡが区画形成され、この遊技領域ＰＡに図示省略する多数本の遊技釘とともに風車や各種入賞具、遊技の進行状況に応じて所定の画像を表示させる画像表示装置などの遊技構成部品が取り付けられ、遊技領域ＰＡの下端部には入賞具に入賞せずに落下した遊技球を遊技盤７の裏面側に排出させるアウト口が設けられている。
【００１８】
球皿ユニット６の背後には、遊技盤７と上下に整合し得る遊技補助盤が形成されており、ここに、発射ハンドルＨの回動操作に応じて遊技球を打ち出す遊技球発射装置の発射機構部、球払出装置から払い出された遊技球のうち球皿に排出しきれない遊技球を一時貯留する貯留ケース、遊技球発射装置によって打ち出された遊技球のうち遊技領域ＰＡに到達できずに戻ってきたファール球を貯留ケースを介して球皿に回収処理するファール球回収通路、遊技の展開状態に応じて効果音を発生させるスピーカなどが設けられている。
【００１９】
前枠２の裏側には裏セット盤が着脱可能に取り付けられている。裏セット盤には遊技球を貯留する球貯留タンクや、遊技盤７における入賞状態に基づいて遊技球を払い出す球払出装置、球払出装置から払い出された遊技球を貯留ケースに導く払出通路などの賞球機構が設けられるとともに、その裏面側に電源基盤や発射制御基板、主制御基板、払出制御基板、ランプ・音声制御基板などの各種回路基盤が取り付けられ、これらの回路基板と電気・電子部品がワイヤーハーネスで接続されて遊技可能に構成される。
【００２０】
パチンコ機ＰＭは、ガラス扉５、球皿ユニット６などが閉鎖施錠された状態で遊技に供され、球皿に遊技球を貯留させて発射ハンドルＨを操作することにより遊技が開始される。図１中に二点鎖線で付記するように発射ハンドルＨが操作されると、球皿に貯留された遊技球が１球ずつ発射機構部に送り出され、発射機構部のハンマにより遊技領域ＰＡに打ち出されてパチンコゲームが展開される。
【００２１】
このように概要構成されるパチンコ機ＰＭにあって、遊技球発射装置は、遊技者が遊技領域ＰＡ内の所望位置に遊技球を打ち出せるように、遊技者自身が発射強度を調整可能に構成されており、上述した発射ハンドルＨがその調整装置になっている。そして、以下詳細に説明する本発明の発射ハンドルＨ（Ｈ１〜Ｈ４）では、遊技者が調整し設定した発射強度を一定に維持可能に構成されている。
【００２２】
まず、図２〜図９の各図を参照して、第１実施例の発射ハンドルＨ１について説明する。なお、図２は発射ハンドルＨ１の分解斜視図、図３はこの発射ハンドルＨ１におけるハンドルベース１０、回動レバー２０、および固定補助部材５０の背面図、図４および図６はそれぞれ固定補助部材５０を分離させた状態で示す発射ハンドルＨ１の側面図および平面図、図５および図７はそれぞれ補助部材収容部４０にコイン等の固定具ＣＮを挿入したときの発射ハンドルＨ１の側面図および平面図（ともに部分拡大図）、図８および図９はそれぞれ固定具ＣＮを挿入する前・後における発射ハンドルの背面図である。
【００２３】
発射ハンドルＨ１は、パチンコ機本体側から前方に突出するハンドルベース１０、このハンドルベース１０の前方に回動可能に支持された回動レバー２０、ハンドルの前端に固定配設されたキャップ体３０、回動レバー２０の指掛け部の内側に収容保持された固定補助部材５０などを備えて構成される。
【００２４】
ハンドルベース１０は、球皿ユニット６の下部に固定されて前方に突出する円筒状の支軸部１１と、この支軸部１１の前方に椀状に開く機構収容部１２からなり、例えば、支軸部１１と機構収容部１２とを各々ＡＢＳ樹脂などの樹脂材料を用いて射出成型等の成形手段で形成し、これらをネジ締結することにより結合される。
【００２５】
機構収容部１２の外周側には、一部切り欠かれた略円筒形の支持フランジ部１３が前方に延出して成型され、機構収容部１２の内側には先端側に平行軸部を有する中空軸状の支軸１５（１５ａ，１５ｂ，１５ｃ）が前方に突出して成型されている。機構収容部１２の内部には、回動レバー２０の回動角度位置を検出する可変抵抗器（ポテンショメータ）が支持フランジ部１３の軸心に位置して取り付けられ、この可変抵抗器から前方に突出する検出軸に、２本の連結ピン１６，１６を有する連結レバーが固定されている。
【００２６】
また機構収容部１２の左上部には、発射機構部の作動をオンオフする作動スイッチ１７が取り付けられるとともに、この作動スイッチ１７に近接して発射停止ボタン１８が揺動可能に枢支され、ボタン操作部が支持フランジ部１３に形成された切り欠き部から機構収容部１２の外方に突出配設される。上下に隣接する支軸１５ｂ，１５ｃの間には、捻りバネを係止するバネ支柱１９が前方に突出して成型されている。なお、機構収容部１２の下部には、遊技者が回動レバー２０に接触しているか否かを検出するタッチ検出器の回路基板が取り付けられている。
【００２７】
ハンドルベース１０の前方に支持される回動レバー２０は、全体としては球殻の前後を平行に切断した外郭円盤状をなし、遊技者が把持するグリップ部２１と、このグリップ部２１から略三角形状に外周方向に突出する指掛け部２２（２２ａ，２２ｂ，２２ｃ）とを有し、ハンドルベース１０と同様の樹脂材料を用いて一体成型されたうえ、表面に導電性の硬質メッキを施して形成される。
【００２８】
グリップ部２１の後端側には、支持フランジ部１３の外周を覆う円筒状の周壁部２３が形成される一方、グリップ部２１の前端側には、前方に突出してキャップ体３０の内周面と係合する係合凸部が形成されている。グリップ部２１の内側では、前後を仕切るプレート部を貫通して回動規制溝２５（２５ａ，２５ｂ）が形成され、また回動規制溝２５よりも内側には、連結レバーの２本の連結ピン１６とそれぞれ係脱可能な長孔状のピン係合孔２６が、軸心を挟んでプレート部に形成されている。
【００２９】
回動規制溝２５ａ，２５ｂは、グリップ部２１の軸線を中心とする円弧状に形成されるとともに、その溝幅が支軸１５ａ，１５ｂ，１５ｃの先端側の平行軸部の径よりもわずかに大きめに形成されており、支軸１５ａ，１５ｂ，１５ｃを前後に挿通させて各支軸の外周面と係脱可能に形成されている。上下の回動規制溝は、図３に示す背面視において、下側の回動規制溝２５ａが右下の支軸１５ａと係合し、上側の回動規制溝２５ｂが左上の２本の支軸１５ｂ，１５ｃと係合する。そして、これらの３点の支軸１５ａ，１５ｂ，１５ｃとの係合によって回動レバー２０が機構収容部１２と同一の軸線上に配設され、回動規制溝２５の円弧形態により軸線まわりに回動可能に支持される。
【００３０】
また回動ハンドル２０の回動角度範囲は、上記回動規制溝２５ａ，２５ｂの形成角度範囲によって規定される。すなわち、図３における支軸１５ａが回動規制溝２５ａの右端部と係合し支軸１５ｂが回動規制溝２５ｂの左端部と係合する基準角度位置から、支軸１５ａが回動規制溝２５ａの左端部と係合し支軸１５ｃが回動規制溝２５ｂの右端部と係合する最大角度位置までの回動角度範囲に規定される。図３におけるハンドルベース１０の背面図には、基準角度位置にある回動レバー２０の外形を二点鎖線で付記し、適宜な調整角度位置にある回動レバー２０の第１指掛け部２２ａの外形を点線で付記している。
【００３１】
グリップ部２１に形成された指掛け部２２は、主として親指が掛止される第１指掛け部２２ａ、人差し指と中指との間に挟持される第２指掛け部２２ｂ、薬指と小指との間に挟持される第３指掛け部２２ｃからなる。各指掛け部２２ａ，２２ｂ，２２ｃは丸みを帯びた三角錐形態をなし、グリップ部２１から外周方向に突出する外殻壁面により形成されている。各指掛け部の角度位置および形状は人間工学的な見地に基づいて設定されており、遊技者が発射ハンドルＨ１を前方から把持したときに、指掛け部を利用して回動ハンドル２０を回動操作しやすいように構成されている。
【００３２】
回動レバー２０の前方を覆って発射ハンドルＨ１の前端に固定配設されるキャップ体３０は、グリップ部２１と滑らかに繋がる球殻状に形成されており、ハンドルベース１０と同様の樹脂材料を用いて一体成型される。
【００３３】
キャップ体３０の後部には、回動レバー２０のグリップ部２１から前方に突出する円盤状の係合凸部を受容する受容凹部が形成され、キャップ体３０の内部には、回動レバー２０の回動規制溝２５ａ，２５ｂを通って前方に突出する支軸１５ａ，１５ｂ，１５ｃと位置整合して、支軸前端のザグリ部と嵌合する固定ボスが突出成型されている。固定ボスの中心にはネジを受容するネジ受容孔が形成されている。
【００３４】
回動レバー２０は、上下のピン係合孔２６を連結レバーの連結ピン１６と係合させ、ハンドルベース１０から前方に突出する支軸１５ａ，１５ｂ，１５ｃおよびバネ支柱１９を回動規制溝２５ａ，２５ｂを通して前方に挿通させ、図示省略する捻りバネのコイル部を回動レバーのプレート部前面のバネ支軸に係合させたうえ、この捻りバネの一端を回動レバー２０のバネフックに掛止し、他端をバネ支柱１９の前端部にネジ固定することでハンドルベース１０の前方に取り付けられる。
【００３５】
そして、回動レバー２０の前方からキャップ体３０を覆い被せて、キャップ体内面の固定ボスを支軸前端のザグリ部に嵌合させ、機構主要部１２の後方から支軸１５ａ，１５ｂ，１５ｃの中空軸の内部にネジを挿入して締め込むことによりハンドルベース１０とキャップ体３０とが連結固定され、これらの間に回動レバー２０が回動可能に挟持される。回動レバー２０は捻りバネの作用により基準角度位置の方向に常時付勢されており、常には遊技球発射装置の作動がオフとなる基準角度位置に保持される。
【００３６】
一方、遊技者が捻りバネの付勢力に抗して回動レバー２０を回動操作すると、ピン係合孔２６で係合する連結レバーを介して可変抵抗器の検出軸が回動され、その抵抗値に応じた発射強度、すなわち、回動レバー２０の回動角度位置に応じた発射強度で遊技球が遊技盤７に向けて発射される。また、遊技終了等で遊技者が手を離したときには、捻りバネの付勢力で回動レバー２０が自動的に基準角度位置に戻り遊技球発射装置の作動がオフになる。
【００３７】
さて、このように構成される発射ハンドルＨ１において、第１指掛け部２２ａの内側に、固定補助部材５０を着脱可能に収容保持する補助部材収容部４０が設けられており、この補助部材収容部４０に固定補助部材５０が取り付けられて回動レバー２０が任意の回動角度位置で固定可能になっている。
【００３８】
補助部材収容部４０は、前述した外殻壁面形態の第１指掛け部２２ａの内側に形成されており、この補助部材収容部４０に、固定補助部材５０を位置決めして固定保持する支持ボス４１が後方に向けて立設されるとともに、固定補助部材５０の支持および第１指掛け部２２ａの補強を兼ねた複数のリブが一体に成型されている。支持ボス４１の中心部には固定ネジを受容するネジ受容穴が前方に向けて形成され、支持ボス４１の上方に形成されたスリット係合リブ４２および支持ボス４１の下方に形成された台座リブ４３は、補助部材収容部の入り口近傍まで延びて形成されている。また補助部材収容部４０の内周側に位置する周壁部２３には、その円筒形の壁面が一部切り欠かれて張出開口４４が形成されている。
【００３９】
一方、固定補助部材５０は、全体としては補助部材収容部４０の収容空間に合わせたブロック状に形成されており、支持ボス４１と嵌脱自在な支持孔部５１、スリット係合リブ４２を係脱自在に受容するスリット部５２、台座リブ４３と係脱自在に係合する座部５３、固定補助部材５０が弾性変形したときに支持フランジ部１３と係合し得る変移係合部５４、コインやメダル等の固定具ＣＮを嵌入容易に案内する導入部５５、導入部５５の先端側に形成された薄片部５６などからなり、例えば、ポリウレタンやシリコンゴム、イソプレンゴムなど反発弾性が高く耐摩耗性の良好な高分子材料を用いて成型される。
【００４０】
支持孔部５１は、補助部材収容部４０に収容される前端側に支持ボス４１の後端部を受容して嵌合する嵌合穴部が形成され、後端側には固定ネジ５８の頭部を収容するザグリ穴部が形成され、中心にこれらの穴部を連通させるネジ挿通孔が形成されている。
【００４１】
固定補助部材５０は、図４および図６に示すように、回動レバー２０の後方から補助部材収容部４０に装着される。固定補助部材５０は補助部材収容部４０の収容空間よりも幾分大きめに形成されており、固定補助部材５０を補助部材収容部４０に嵌め込むと、支持孔部５１が支持ボス４１と嵌合して中心位置が規定され、その上方のスリット部５２がスリット係合リブ４２を挟持するように係合し、下方の座部５３が台座リブ４３と面係合して、固定補助部材を角度方向に位置決めするとともに支持ボス４１の上下で固定補助部材５０を挟み込むように拘持する。そしてこのように拘持された固定補助部材５０の後方から支持孔部５１に固定ネジ５８を挿入し、支持ボス４１に螺合させて締め込むことにより、固定補助部材５０が補助収容部４０に固定保持される。
【００４２】
このようにして、固定補助部材５０が指掛け部２２ａの外殻壁面および周壁部１３の外周面に囲まれた補助収容部４０に嵌め込まれて固定されると、固定補助部材５０の変移係合部５４が周壁部２３に形成された張出開口４４内にわずかに膨出した状態になり、支持フランジ部１３と係合することなく対向して配設される。なお、図８では、張出開口４４の開口幅を変移係合部５４の全長にわたって形成した場合を二点鎖線で付記している。
【００４３】
ここで、導入部５５は固定補助部材５０の先端側の角部が円弧斜面状ないしテーパ状に面取りされて形成され、また導入部５５の背面側（補助収容部側）が一部切り欠かれて前後方向厚さが薄肉化された薄片部５６が形成されている。このため、固定具ＣＮを嵌入させるときに、固定具ＣＮの先端部が導入部５５に案内されて補助部材収容部４０の外殻壁面と固定補助部材５０との間に導かれ、また固定具ＣＮが押圧されたときに薄片部５６が補助収容部４０の内方に倒伏変形して、固定具の嵌入を容易かつ確実に行えるようになっている。
【００４４】
また、スリット係合リブ４２およびスリット部５２は、補助部材収容部４０の外殻壁面と固定補助部材５０との間に固定具ＣＮが嵌入されたときに、固定補助部材５０の本体部の弾性変形を容易化するとともに、弾性変形する固定補助部材５０の変移方向を張出開口４４の方向に向ける変移誘導壁として機能する。さらに、嵌入された固定具ＣＮがスリット係合リブ４２により一定の嵌合深さ位置に係止され、浅すぎて固定保持力が不足したり、深すぎて固定補助部材５０や支持フランジ部１３に過度の負荷を与えたりすることなく好適な固定保持力を発生するようになっている。
【００４５】
このため、遊技者は、固定具ＣＮを嵌入させない状態では回動レバー２０を自由に回動させることができ、回動レバー２０を回動操作して遊技球を遊技盤７に発射させ、遊技球が遊技領域の所望位置に飛翔する発射強度に調整することができる。そして所望の発射強度に調整した状態で、第１指掛け部２２ａの背後に固定具ＣＮをあてがい、導入部５５および薄片部５６を利用して固定具ＣＮを容易に嵌入させることができ、またスリット係合リブ４２により一定の嵌合深さ位置に係止保持させることができる。
【００４６】
このとき、補助部材収容部４０では、図９に示すように、補助部材収容部４０の外殻壁面と固定補助部材５０との間に嵌入された固定具ＣＮによる外力を受けて固定補助部材５０が内周方向に弾性変形し、スリット係合リブ４２により変移方向が誘導されて固定補助部材５０が張出開口４４の方向に弾性変移する。そして、張出開口４４の開口領域に位置する変移係合部５４が押し出されるように張出開口４４から膨出し、対向する支持フランジ部１３に圧着された状態で摩擦係合する。
【００４７】
これにより、回動レバー２０が捻りバネの付勢力に抗して当該回動角度位置に固定され、遊技者が調整した一定の発射強度に保持される。遊技者は発射ハンドルＨ１に軽く手を添えて遊技を行うことができ、遊技が長時間にわたっても手に苦痛を感じたり把持力が低下したりすることがない。
【００４８】
また、スリット係合リブ４２によって規定される固定具ＣＮの嵌入深さは、このように回動レバー２０が固定された状態で、支持フランジ部１３や周壁部２３等の各部材に作用する押圧力が、これら部材の材質および形状寸法に基づいて算出され許容される所定応力の範囲内である一方、捻りバネの付勢力に抗して回動レバー２０を固定するのに十分な固定保持力を発生するように設定されており、関係各部に過度の負荷を作用させることなく、回動レバー２０を確実に固定保持可能になっている。さらに、例えば長期間の使用による摩耗や経時変化等により固定保持力が低下してきた場合には、固定補助部材５０を着脱交換するだけで容易に固定保持機能を回復させることができ、部品代や交換工数等を極めて安価に抑制することができる。
【００４９】
なお、図９では、張出開口４４の開口幅を変移係合部５４の全長にわたって形成した場合を二点鎖線で付記しており、使用する高分子材料が比較的硬質の場合や、支持フランジ部が薄肉で面圧を低下させたい場合などにおいては、このように開口幅を適宜拡大しあるいは縮小して形成することができる。
【００５０】
次に、図１０および図１１を参照して、第２実施例の発射ハンドルＨ２について説明する。ここで、図１０および図１１は、それぞれ回動レバー２０を所定角度位置に固定する前および後における発射ハンドルＨ２の背面図であり、既述した図８および図９に対応する図面である。なお、本実施形態の発射ハンドルＨ２は、回動レバー２０を固定するための固定機構の構成のみが前述した発射ハンドルＨ１と異なり、他の基本的な構成要素は既述した発射ハンドルＨ１と同様であるため、共通する部分に同一番号を付して重複説明を省略し、相違する部分を中心に説明する。
【００５１】
発射ハンドルＨ２では、第１指掛け部２２ａの内側に補助部材収容部６０が設けられ、この補助部材収容部６０に、押圧力を受けて弾性変形自在な固定補助部材７０が着脱可能に収容保持される。補助部材収容部６０には、回動レバー２０を固定する固定位置と固定を解除する解除位置とに揺動操作可能な固定操作レバー８０が設けられるとともに、固定操作レバー８０が固定位置に位置されたときに固定補助部材７０を支持フランジ１３側に突出させる張出開口４４が設けられている。一方、ハンドルベース側の支持フランジ部１３には、張出開口４４と対向する周面に、張出開口４４から突出した固定補助部材の変移固定突起７４と係脱可能な固定受け部１４が形成されており、遊技者が固定操作レバー８０を固定操作したときに、変移固定突起７４が固定受け部１４と係合して回動レバー２０を任意の回動角度位置に固定可能に構成されている。
【００５２】
補助部材収容部６０には、固定補助部材７０を位置決め固定する支持ボス（図では支持ボスに螺合される固定ネジ５８が断面として現れている）および固定操作レバー８０を揺動可能に支持するレバーボスが立設されるとともに、固定補助部材７０の掛止辺部７３を上下に挟み込んで支持する挟持リブ６３ａ，６３ｂが、ともに一体成型により形成されている。第１指掛け部２２ａの外殻壁面には固定操作レバー８０の操作レバー部８２を通すレバー口６２が切り欠き成型されている。補助部材収容部６０の内周側には、周壁部２３の一部が切り欠かれて張出開口４４が形成されている。
【００５３】
固定補助部材７０には、前述した支持孔部５１と同様の支持孔部（図では支持孔部に挿通される固定ネジ５８が断面として現れている）、挟持リブ６３ａ，６３ｂに挟持される舌片状の掛止辺部７３、固定補助部材の本体部からリブ状に突出し先端が滑らかな円弧状に形成された変移固定突起７４、固定操作レバー８０の押圧カム部８３と係合して押圧力を受ける受圧面７５などからなり、前述した固定補助部材５０と同様の高分子材料を用いて成型される。
【００５４】
固定補助部材７０は、補助部材収容部６０に嵌め込まれたときに、支持孔部が支持ボスに嵌合されて中心位置が位置決めされ、掛止辺部７３が上下の挟持リブ６３ａ，６３ｂの間に嵌着されることで角度方向に位置決めされる。そして、後方から支持孔部に固定ネジ５８を挿入し支持ボスに螺合締結することにより補助収容部６０に固定保持される。固定補助部材７０が補助収容部６０に収容固定されると、変移固定突起７４が張出開口４４に位置して配設され、その先端部は支持フランジ部１３と係合することなく対向して配設される。
【００５５】
一方、ハンドルベース１０の支持フランジ部１３には、張出開口４４と対向する外周面に、変移固定突起７４の先端形状に合わせて円弧溝状に形成された固定受け部１４が細かいピッチで多数形成されており、張出開口４４から突出した変移固定突起７４と係脱可能になっている。
【００５６】
固定操作レバー８０は、前述した支持孔部５１と同様の支持孔部を有してレバーボスに揺動可能に支持される揺動軸部、揺動軸部からそれぞれ外方にカム状に突出する操作レバー部８２および押圧カム部８３等からなり、例えば、ＡＢＳ樹脂やＰＯＭ等の樹脂材料を射出成型し、あるいはアルミニウム等の金属材料をダイキャストやプレス成形等して形成される。固定操作レバー８０は、揺動軸部前方の支持孔部をレバーボスに嵌合させて後方からねじ止めすることで補助部材収容部６０に揺動可能に取り付けられ、操作レバー部８２の先端部がレバー口６２を通って第１指掛け部２２ａの外側に操作可能に配設される。
【００５７】
レバー口６２は、固定操作レバー８０の揺動角度範囲を規定する機能を有しており、固定操作レバー８０を図１０に示す解除位置と、図１１に示す固定位置との間で揺動変移可能に規定する。
【００５８】
固定操作レバー８０は、このレバーが解除位置にあるときには、押圧カム部８３が固定補助部材の受圧面７５に緩く接した状態になり、固定補助部材７０は外力を受けずに自然状態に保持される。このとき変移固定突起７４は張出開口４４内に位置して配設され、変移固定突起７４の先端部が固定受け部１４と係合することなく対向して配設される。このため、遊技者は、固定操作レバー８０が解除位置にある状態では回動レバー２０を自由に回動させることができ、回動レバー２０を回動操作して遊技球を遊技盤７に発射させ、遊技球が遊技領域の所望位置に飛翔する発射強度に調整することができる。
【００５９】
一方、遊技者が所望の発射強度に調整した状態で、操作レバー部８２を揺動操作し固定操作レバー８０を固定位置に設定すると、押圧カム部８３が揺動して固定補助部材の受圧面７５を押圧し、固定補助部材７０を撓ませるようにして張出開口４４の方向に弾性変形させる。このため、変移固定突起７４が張出開口４４から内周方向に変移して突出し、対向する支持フランジ部の固定受け部１４と弾性的に係合して圧着状態で係止される。
【００６０】
これにより、回動レバー２０が捻りバネの付勢力に抗して当該回動角度位置に固定され、遊技者が調整した一定の発射強度に保持される。遊技者は発射ハンドルＨ２に軽く手を添えて遊技を行うことができ、遊技が長時間にわたっても手に苦痛を感じたり把持力が低下したりすることがない。一方、遊技施設にとってはコインや遊技球等の硬質物の挿抜による発射ハンドルの損傷を回避して点検工数や交換工数を削減することができる。
【００６１】
そして、本構成の発射ハンドルＨ２では、固定補助部材７０の弾性変形が固定操作レバー８０を用いて行われる構成のため、発射ハンドルの各部が硬質物の挿抜によって損傷を受けるようなことがなく、固定補助部材７０の押圧変形量を一定化することができるため、固定補助部材７０自身を含めて支持フランジ部１３や周壁部２３などに過大な負荷を与えることがない。また、本構成ではリブ状の変移固定突起７４が溝状の固定受け部１４と係合して固定する形態のため、面と面との摩擦係合よりも弱い押圧力で回動レバー２０を固定保持させることができる。このため、安定した固定保持機能を確保して長期信頼性の高いハンドル装置を提供できる。さらに、例えば、長期間の使用による摩耗や経時変化等により、万一固定保持力が低下してきた場合には、固定補助部材７０を着脱交換するだけで容易に固定保持機能を回復させることができ、部品代や交換工数等を極めて安価に抑制することができる。
【００６２】
次に、図１２および図１３を参照して、第３実施例の発射ハンドルＨ３について要約説明する。ここで、図１２は回動レバー２０を所定角度位置に固定した状態における発射ハンドルＨ３の背面図であり、既述した図９および図１１に対応する図面、図１３はこの発射ハンドルＨ３に用いられる固定操作レバー８５および固定補助部材９０の分解斜視図である。なお、既述した各発射ハンドルＨ１，Ｈ２と共通する部分には同一番号を付して重複説明を省略し、相違する部分について説明する。
【００６３】
発射ハンドルＨ３では、第１指掛け部２２ａの内側の補助部材収容部６０に、回動レバー２０を固定位置と解除位置とに揺動操作可能な固定操作レバー８５が設けられるとともに、この固定操作レバー８５による押圧力を受けて弾性変形自在な固定補助部材９０が着脱可能に収容保持され、また固定操作レバー８５が固定位置に位置されたときに固定補助部材９０を支持フランジ１３側に突出させる張出開口４４が設けられている。支持フランジ部１３には張出開口４４から突出した固定補助部材の変移固定突起９４と係脱可能な固定受け部１４が形成されており、遊技者が固定操作レバー８５を固定操作したときに、変移固定突起９４が固定受け部１４と係合して回動レバー２０を任意の回動角度位置に固定可能に構成されている。
【００６４】
固定操作レバー８５および固定補助部材９０は、図１３に示すように、それぞれ揺動軸部から外方に突出するカム状の形態をなし、これらが嵌合接続されて一体に揺動する。このうち、固定操作レバー８５は揺動軸部８６の前方に角柱状の嵌合軸８７を、後方に揺動軸部８６から外方に突出する操作レバー部８８を有し、揺動軸部８６の中心には既述した支持孔部５１と同様の支持孔部が形成されている。固定操作レバー８５は前述した固定操作レバー８０と同様の材料を用いて同様の加工手段で形成される。
【００６５】
一方、固定補助部材９０は、揺動軸部９２に嵌合軸８７と嵌脱自在な嵌合孔９３を有しその外側に外方に突出する変移固定突起９４が形成されている。固定補助部材９０は、例えば硬質ウレタンゴムなど既述した各固定補助部材よりも幾分硬度を高めた配合の高分子材料を用いて成型される。固定操作レバー８５と固定補助部材９０とは、嵌合孔９３に嵌合軸８７を嵌合させることで一体に接続され、操作レバー部８８と変移固定突起９４とが所定の相対角をなして揺動可能に連結されたレバー体が形成される。
【００６６】
補助部材収容部６０には、固定操作レバー８５に形成された支持孔部と係合して固定操作レバー８５および固定補助部材９０を揺動可能に支持するレバーボスが立設されるとともに、第１指掛け部２２ａの外殻壁面には固定操作レバー８５の操作レバー部８８を通すレバー口６２が切り欠き成型され、補助部材収容部６０の内周側には、周壁部２３の一部が切り欠かれて変移固定突起９４が出没変移可能な張出開口４４が形成されている。また、支持フランジ部１３には、張出開口４４と対向する外周面に、変移固定突起９４の先端形状に合わせて円弧溝状に形成された固定受け部１４が細かいピッチで多数形成されており、張出開口４４から突出した変移固定突起９４と係脱可能になっている。
【００６７】
固定操作レバー８５および固定補助部材９０は、これらを上述のように嵌合連結させて補助部材収容部６０内のレバーボスに軸支させ、その後方から固定操作レバーの支持孔部に固定ネジ５８を挿入して螺合締結することにより補助収容部６０に揺動可能に収容保持される。このとき、操作レバー部８８の先端部がレバー口６２を通って第１指掛け部２２ａの外側に操作可能に配設される。レバー口６２は、固定操作レバー８５の揺動角度範囲を規定する機能を有しており、固定操作レバー８５を図中に二点鎖線で付記する解除位置と、実線で示す固定位置との間で揺動変移可能に規定する。
【００６８】
固定操作レバー８５が解除位置にあるときには、固定補助部材９０の変移固定突起９４が張出開口４４の上方に待避して配設される。このため、遊技者は、回動レバー２０を自由に回動させることができ、回動レバー２０を回動操作して遊技球を遊技盤７に発射させ、遊技球が遊技領域の所望位置に飛翔する発射強度に調整することができる。
【００６９】
一方、遊技者が所望の発射強度に調整した状態で、固定操作レバー８５を固定位置方向に揺動させると、これに伴って固定補助部材９０が揺動し、変移固定突起９４が張出開口４４を通って支持フランジ部１３の方向に変移する。そして固定操作レバー８５が固定位置に位置した状態では、変移固定突起９４が支持フランジ部の固定受け部１４と弾性的に係合して圧着状態で係止される。
【００７０】
これにより、回動レバー２０が捻りバネの付勢力に抗して当該回動角度位置に固定され、遊技者が調整した一定の発射強度に保持される。遊技者は発射ハンドルＨ３に軽く手を添えて遊技を行うことができ、遊技が長時間にわたっても手に苦痛を感じたり把持力が低下したりすることがない。一方、遊技施設にとってはコインや遊技球等の硬質物の挿抜による発射ハンドルの損傷を回避して点検工数や交換工数を削減することができる。
【００７１】
また、発射ハンドルＨ３では、遊技者が回動レバー２０の固定を解除する際に、固定操作レバー８５を解除位置に揺動させて固定を解除する通常の解除操作の他に、回動レバー２０を基準位置方向（発射強度を弱める方向）に戻す操作を行っても固定を解除することができるため、遊技者に取り扱いやすい発射ハンドルを提供することができる。
【００７２】
そして、以上説明した発射ハンドルＨ３では、固定補助部材９０の弾性変形が固定操作レバー８５を用いて行われる構成のため、発射ハンドルの各部が硬質物の挿抜によって損傷を受けるようなことがなく、固定補助部材９０の押圧変形量を一定化することができるため、固定補助部材９０や支持フランジ部１３などに過大な負荷を与えることがない。また、本構成ではカム状の変移固定突起９４が溝状の固定受け部１４と係合して固定する形態のため、面と面との摩擦係合よりも弱い押圧力でかつ回動方向にも一定の弾性力をもって回動レバー２０を固定保持させることができる。このため、安定した固定保持機能を確保して長期信頼性の高いハンドル装置を提供できる。さらに、例えば、長期間の使用による摩耗や経時変化等により、万一固定保持力が低下してきた場合には、固定補助部材９０を着脱交換するだけで容易に固定保持機能を回復させることができ、部品代や交換工数等を極めて安価に抑制することができる。
【００７３】
なお、例えば、固定操作レバー８５とレバーボスとの間に捻りバネ等の付勢手段を装着して固定操作レバー８５を解除位置方向に付勢し、回動レバー２０の固定が解除されたときに、固定操作レバー８５および固定補助部材９０が自動的に解除位置に戻り、この解除位置に保持されるように構成してもよい。これにより、回動レバー２０の固定が解除された状態では、変移固定突起９４が張出開口４４の上方に待避して配設され、固定レバー２０の回動操作時に変移固定突起９４が固定受け部１４と摩擦したり、固定意思がないにも拘わらず変移固定突起９４が固定受け部１４と係合して回動レバー２０が固定されてしまうようなことがない。
【００７４】
次に、図１４および図１５を参照して、第４実施例の発射ハンドルＨ４について要約説明する。図１４は回動レバー２０を所定角度位置に固定した状態における発射ハンドルＨ４の背面図であり、既述した図９、図１１および図１２に対応する図面、図１５はこの発射ハンドルＨ４に用いられる固定補助部材１００の斜視図である。なお、既述した各発射ハンドルと共通する部分には同一番号を付して重複説明を省略し、以下、相違する部分について説明する。
【００７５】
発射ハンドルＨ４では、第１指掛け部２２ａの内側の補助部材収容部６０に、回動レバー２０を固定位置と解除位置とに操作可能な操作レバー部１０２を有し、操作レバー部１０２に作用する外力を受けて弾性変形自在な固定補助部材１００が着脱可能に収容保持され、また操作レバー部１０２が固定位置にあるときに固定補助部材１００の変移固定突起１０４を支持フランジ１３側に突出させる張出開口４４が設けられている。支持フランジ部１３には張出開口４４から突出した固定補助部材の変移固定突起１０４と係脱可能な固定受け部１４が形成されており、遊技者が操作レバー部１０２を解除操作したときに、変移固定突起９４が張出開口４４の内方に待避して回動レバー２０を調整可能に構成されている。
【００７６】
固定補助部材１００は、図１５に示すようなＹ字状の形態をなし、補助部材収容部６０の支持ボスに嵌合されて固定支持される前述同様の支持孔部５１、固定解除操作を行う操作レバー部１０２、補助部材収容部６０に成型された挟持リブ６３ａ，６３ｂに挟持される舌片状の掛止辺部１０３、固定補助部材の本体部からリブ状に突出し先端が滑らかな円弧状に形成された２列の変移固定突起１０４などからなり、前述した固定補助部材５０と同様の高分子材料を用いて一体成型される。
【００７７】
補助部材収容部６０には、固定補助部材１００を位置決め固定する支持ボス（図１４では支持ボスに螺合される固定ネジ５８が断面として現れている）が立設されるとともに、固定補助部材１００の掛止辺部１０３を上下に挟み込んで支持する挟持リブ６３ａ，６３ｂが一体成型により形成されている。第１指掛け部２２ａの外殻壁面には操作レバー部１０２を通すレバー口６２が切り欠き成型され、補助部材収容部６０の内周側には張出開口４４が形成されている。また、支持フランジ部１３には前述同様の固定受け部１４が細かいピッチで多数形成されており、張出開口４４から突出した変移固定突起１０４と係脱可能になっている。
【００７８】
固定補助部材１００は、支持孔部５１を支持ボスに嵌合させ、掛止辺部１０３を挟持リブ６３ａ，６３ｂの間に嵌入させて、後方から支持孔部５１に固定ネジ５８を挿入して螺合締結することにより補助収容部６０に収容保持される。
【００７９】
このとき、固定補助部材１００の本体部から支持フランジ１３の方向に突出する変移固定突起１０４は、２列の変移固定突起１０４がともに張出開口４４から突出して配設され、支持フランジ１３の外周に形成された固定受け部１４と常時係合するように構成されている。すなわち、この発射ハンドルＨ４では、これまで説明した各発射ハンドルＨ１〜Ｈ３と異なり、人為的操作を行わない自然状態において回動レバー２０が固定状態になるように構成されている。
【００８０】
従って、レバー口６２を通って第１指掛け部２２ａの外側に配設され操作レバー部１０２は、この自然状態において固定位置に位置している。遊技者は、操作レバー部１０２を図１４中の矢印Ｆの方向に押圧して倒伏させることにより、固定補助部材１００を弾性変形させて変移固定突起１０４を上方に揺動待避させ、変移固定突起１０４と固定受け部１４との係合を解除させることができ（解除位置）、これにより、回動レバー２０を自由に回動操作して発射強度に調整することができる。
【００８１】
そして、遊技者が所望の発射強度に調整した状態で、操作レバー部１０２への押圧力を開放すると、弾性変形していた固定補助部材１００が自己復帰して自然状態に戻り、変移固定突起１０４が張出開口４４から突出して支持フランジ部の固定受け部１４と弾性的に係合し圧着状態で係止される。
【００８２】
これにより、回動レバー２０が捻りバネの付勢力に抗して当該回動角度位置に固定され、遊技者が調整した一定の発射強度に保持される。遊技者は発射ハンドルＨ４に軽く手を添えて遊技を行うことができ、遊技が長時間にわたっても手に苦痛を感じたり把持力が低下したりすることがない。また、遊技施設にとってはコインや遊技球等の硬質物の挿抜による発射ハンドルの損傷を回避して点検工数や交換工数を削減することができる。
【００８３】
また、発射ハンドルＨ４では、複数列（実施例では２列）の変移固定突起１０４が溝状の固定受け部１４と係合して固定する形態のため、面と面との摩擦係合や１列の係合形態よりも弱い押圧力で回動レバー２０を固定保持させることができる。さらに変移固定突起１０４および固定受け部１４がともに円弧状であるため、操作レバー部１０２が固定位置にある状態でも緩やかな抵抗をもって回動レバー２０を回動操作することができる。従って、回動レバー２０の固定操作を知らない遊技者にとっても取り扱いが容易な発射ハンドルを提供することができる。
【００８４】
そして、以上説明した発射ハンドルＨ４では、既述した発射ハンドルＨ１〜Ｈ３と同様に、弾性部材を係合させて回動レバーを固定する構成のため、関係各部に過度の負荷を作用させることなく、回動レバーを安定して固定保持することができる。また摩耗や経時変化等により固定保持力が低下してきた場合には、固定補助部材１００を着脱交換するだけで容易に固定保持機能を回復させることができるため、部品代や交換工数等を極めて安価に抑制することができる。さらに、操作レバー部１０２を固定補助部材１００に一体成型しているため、極めて少ない部品点数で固定保持機構を構成することができる。
【００８５】
【発明の効果】
以上説明したように、本発明では、回動レバーにおける指掛け部の内側に弾性変形自在な固定補助部材を着脱可能に収容保持する補助部材収容部を設け、この補助部材収容部に固定補助部材が回動レバーの内周方向に突出可能な開口部を形成し、固定補助部材が外力を受けて弾性変形したときに開口部から突出した固定補助部材が支持フランジ部と係合して回動レバーが固定されるようにハンドル装置を構成する。すなわち本構成のハンドル装置では、ハンドルベースや回動レバーを撓み変形させるのではなく、弾性変形自在な固定補助部材を弾性変形させて支持フランジ部と係合させ回動ハンドルを固定する構成のため、発射ハンドルを構成する各部材に損傷を与え難く、回動レバーの固定機能を長期間にわたって維持することができる。また、固定補助部材が補助部材収容部に着脱可能に収容保持されているため、長期間の使用によって固定補助部材が摩耗し、あるいは経年変化で固定補助部材が劣化して固定機能が低下してきたとしても、固定補助部材を着脱交換するだけで当該機能を回復させることができ、簡便かつ安価に機能回復を実現できる。
【００８６】
また、他の本発明では、回動レバーにおける指掛け部の内側に弾性変形自在な固定補助部材を着脱可能に収容保持する補助部材収容部を設け、この補助部材収容部に、回動レバーを固定する固定位置および固定を解除する解除位置に変移操作可能な固定操作部材と、固定操作部材が固定位置にあるときに固定補助部材を内周側に突出させる開口部とを設ける一方、支持フランジ部には、開口部から突出した固定補助部材と係脱可能な固定受け部を設け、固定操作部材が固定位置に位置されて開口部から固定補助部材が突出したときに、当該突出した固定補助部材と固定受け部とが係合して回動レバーが固定されるようにハンドル装置を構成する。このため、上記発明と同様に発射ハンドルの各構成部材に損傷を極めて与え難く、回動レバーの固定機能を長期間にわたって維持することができる。また経年変化等により固定機能が低下してきたとしても、固定補助部材を着脱交換するだけで当該機能を回復させることができ、簡便かつ安価に機能回復を実現できる。さらに、回動レバーを固定する固定操作部材が設けられているため、遊技者にとっては長時間の遊技でも苦痛を伴うことなく楽しむことができ、遊技施設にとってはコインや遊技球等の硬質物の挿抜による発射ハンドルの損傷を回避して点検工数や交換工数を削減することができる。
【図面の簡単な説明】
【図１】本発明に係る発射ハンドルを備えた弾球遊技機の一例として示すパチンコ機の正面図である。
【図２】第１実施例の発射ハンドルの分解斜視図である。
【図３】上記発射ハンドルにおけるハンドルベース、回動レバー、および固定補助部材の背面図である。
【図４】固定補助部材を分離させた状態で示す上記発射ハンドルの側面図である。
【図５】補助部材収容部に固定具を挿入したときの上記発射ハンドルの側面図（部分拡大図）である。
【図６】固定補助部材を分離させた状態で示す上記発射ハンドルの平面図である。
【図７】補助部材収容部に固定具を挿入したときの上記発射ハンドルの平面図（部分拡大図）である。
【図８】固定具を挿入する前の状態における上記発射ハンドルの背面図である。
【図９】固定具を挿入後の状態における上記発射ハンドルの背面図である。
【図１０】回動レバーを固定する前の状態における第２実施例の発射ハンドルの背面図である。
【図１１】回動レバーを固定した状態における第２実施例の発射ハンドルの背面図である。
【図１２】回動レバーを固定した状態における第３実施例の発射ハンドルの背面図である。
【図１３】第３実施例の発射ハンドルに用いられる固定操作レバーおよび固定補助部材の分解斜視図である。
【図１４】回動レバーを固定した状態における第４実施例の発射ハンドルの背面図である。
【図１５】第４実施例の発射ハンドルに用いられる固定補助部材の斜視図である。
【符号の説明】
ＰＡ  遊技領域
ＰＭ  パチンコ機
ＣＮ  固定具
Ｈ（Ｈ１〜Ｈ４）  発射ハンドル
１  外枠
２  前枠
３ａ，３ｂ  ヒンジ機構
４  施錠装置
５  ガラス扉
６  球皿ユニット
７  遊技盤
１０  ハンドルベース
１１  支軸部
１２  機構収容部
１３  支持フランジ部
１４  固定受け部
１５（１５ａ，１５ｂ，１５ｃ）  支軸
１６  連結ピン
１７  作動スイッチ
１８  発射停止ボタン
１９  バネ支柱
２０  回動レバー
２１  グリップ部
２２  指掛け部
（２２ａ  第１指掛け部、２２ｂ  第２指掛け部、２２ｃ  第３指掛け部）
２３  周壁部
２５（２５ａ，２５ｂ）  回動規制溝
２６  ピン係合孔
３０  キャップ体
４０  補助部材収容部
４１  支持ボス
４２  スリット係合リブ
４３  台座リブ
４４  張出開口
５０  固定補助部材
５１  支持孔部
５２  スリット部
５３  座部
５４  変移係合部
５５  導入部
５６  薄片部
５８  固定ネジ
６０  補助部材収容部
６２  レバー口
６３（６３ａ６３ｂ）  挟持リブ
７０  固定補助部材
７３  掛止辺部
７４  変移固定突起
７５  受圧面
８０  固定操作レバー
８２  操作レバー部
８３  押圧カム部
８５  固定操作レバー
８６  揺動軸部
８７  嵌合軸
８８  操作レバー部
９０  固定補助部材
９２  揺動軸部
９３  嵌合孔
９４  変移固定突起
１００  固定補助部材
１０２  操作レバー部
１０３  掛止辺部
１０４  変移固定突起
【図１】
2004298377.tif 000003
【図２】
2004298377.tif 000004
【図３】
2004298377.tif 000005
【図４】
2004298377.tif 000006
【図５】
2004298377.tif 000007
【図６】
2004298377.tif 000008
【図７】
2004298377.tif 000009
【図８】
2004298377.tif 000010
【図９】
2004298377.tif 000011
【図１０】
2004298377.tif 000012
【図１１】
2004298377.tif 000013
【図１２】
2004298377.tif 000014
【図１３】
2004298377.tif 000015
【図１４】
2004298377.tif 000016
【図１５】
2004298377.tif 000017
【手続補正書】
【提出日】平成15年4月21日(2003.4.21)
【手続補正１】
【補正対象書類名】明細書
【補正対象項目名】００１０
【補正方法】変更
【補正の内容】
【００１０】
このように、本構成のハンドル装置では、ハンドルベースや回動レバーを撓み変形させるのではなく、弾性変形自在な固定補助部材を設けこれを弾性変形させて支持フランジ部と係合させることで回動レバーを固定する構成のため、ハンドルベースや回動レバー等に摩耗・変形等の損傷を与え難く、回動レバーの固定機能を長期間にわたって維持することができる。また、固定補助部材が補助部材収容部に着脱可能に収容保持されているため、長期間の使用によって固定補助部材が摩耗し、あるいは経年変化で固定補助部材が劣化して固定機能が低下してきたとしても、固定補助部材を着脱交換すれば当該機能を回復させることができ、簡便かつ安価に機能回復を実現できる。


【手続補正２】
【補正対象書類名】明細書
【補正対象項目名】００１３
【補正方法】変更
【補正の内容】
【００１３】
このように、本構成のハンドル装置では、ハンドルベースや回動レバーを撓み変形させるのではなく、固定操作部材を固定位置に操作して固定補助部材を開口部から突出させ、支持フランジ部側の固定受け部に係合させて回動レバーを固定する構成のため、ハンドルベースや回動レバーに摩耗・変形等の損傷を極めて与え難く、回動レバーの固定機能を長期間にわたって維持することができる。また、固定補助部材が補助部材収容部に着脱可能に収容保持されているため、長期間の使用によって固定補助部材が摩耗し、あるいは経年変化で固定補助部材が劣化して固定機能が低下してきたとしても、固定補助部材を着脱交換すれば当該機能を回復させることができ、簡便かつ安価に機能回復を実現できる。さらに、回動レバーを固定する固定操作部材が設けられているため、遊技者にとっては長時間の遊技でも苦痛を伴うことなく楽しむことができ、遊技施設にとってはコインや遊技球等の硬質物の挿抜による発射ハンドルの損傷を回避して点検工数や交換工数を削減することができる。


【手続補正３】
【補正対象書類名】明細書
【補正対象項目名】００１９
【補正方法】変更
【補正の内容】
【００１９】
前枠２の裏側には裏セット盤が着脱可能に取り付けられている。裏セット盤には遊技球を貯留する球貯留タンクや、遊技盤７における入賞状態に基づいて遊技球を払い出す球払出装置、球払出装置から払い出された遊技球を貯留ケースに導く払出通路などの賞球機構が設けられるとともに、その裏面側に電源基板や発射制御基板、主制御基板、払出制御基板、ランプ・音声制御基板などの各種回路基板が取り付けられ、これらの回路基板と電気・電子部品がワイヤーハーネスで接続されて遊技可能に構成される。


【手続補正４】
【補正対象書類名】明細書
【補正対象項目名】００２６
【補正方法】変更
【補正の内容】
【００２６】
また機構収容部１２の左上部には、発射機構部の作動をオンオフする作動スイッチ１８が取り付けられるとともに、この作動スイッチ１８に近接して発射停止ボタン１７が揺動可能に枢支され、ボタン操作部が支持フランジ部１３に形成された切り欠き部から機構収容部１２の外方に突出配設される。上下に隣接する支軸１５ｂ，１５ｃの間には、捻りバネを係止するバネ支柱１９が前方に突出して成型されている。なお、機構収容部１２の下部には、遊技者が回動レバー２０に接触しているか否かを検出するタッチ検出器の回路基板が取り付けられている。


【手続補正５】
【補正対象書類名】明細書
【補正対象項目名】００３０
【補正方法】変更
【補正の内容】
【００３０】
また回動レバー２０の回動角度範囲は、上記回動規制溝２５ａ，２５ｂの形成角度範囲によって規定される。すなわち、図３における支軸１５ａが回動規制溝２５ａの右端部と係合し支軸１５ｂが回動規制溝２５ｂの左端部と係合する基準角度位置から、支軸１５ａが回動規制溝２５ａの左端部と係合し支軸１５ｃが回動規制溝２５ｂの右端部と係合する最大角度位置までの回動角度範囲に規定される。図３におけるハンドルベース１０の背面図には、基準角度位置にある回動レバー２０の外形を二点鎖線で付記し、適宜な調整角度位置にある回動レバー２０の第１指掛け部２２ａの外形を点線で付記している。


【手続補正６】
【補正対象書類名】明細書
【補正対象項目名】００３１
【補正方法】変更
【補正の内容】
【００３１】
グリップ部２１に形成された指掛け部２２は、主として親指が掛止される第１指掛け部２２ａ、人差し指と中指との間に挟持される第２指掛け部２２ｂ、薬指と小指との間に挟持される第３指掛け部２２ｃからなる。各指掛け部２２ａ，２２ｂ，２２ｃは丸みを帯びた三角錐形態をなし、グリップ部２１から外周方向に突出する外殻壁面により形成されている。各指掛け部の角度位置および形状は人間工学的な見地に基づいて設定されており、遊技者が発射ハンドルＨ１を前方から把持したときに、指掛け部を利用して回動レバー２０を回動操作しやすいように構成されている。


【手続補正７】
【補正対象書類名】明細書
【補正対象項目名】００８５
【補正方法】変更
【補正の内容】
【００８５】
【発明の効果】
以上説明したように、本発明では、回動レバーにおける指掛け部の内側に弾性変形自在な固定補助部材を着脱可能に収容保持する補助部材収容部を設け、この補助部材収容部に固定補助部材が回動レバーの内周方向に突出可能な開口部を形成し、固定補助部材が外力を受けて弾性変形したときに開口部から突出した固定補助部材が支持フランジ部と係合して回動レバーが固定されるようにハンドル装置を構成する。すなわち本構成のハンドル装置では、ハンドルベースや回動レバーを撓み変形させるのではなく、弾性変形自在な固定補助部材を弾性変形させて支持フランジ部と係合させ回動レバーを固定する構成のため、発射ハンドルを構成する各部材に損傷を与え難く、回動レバーの固定機能を長期間にわたって維持することができる。また、固定補助部材が補助部材収容部に着脱可能に収容保持されているため、長期間の使用によって固定補助部材が摩耗し、あるいは経年変化で固定補助部材が劣化して固定機能が低下してきたとしても、固定補助部材を着脱交換するだけで当該機能を回復させることができ、簡便かつ安価に機能回復を実現できる。


【手続補正８】
【補正対象書類名】明細書
【補正対象項目名】符号の説明
【補正方法】変更
【補正の内容】
【符号の説明】
ＰＡ  遊技領域
ＰＭ  パチンコ機
ＣＮ  固定具
Ｈ（Ｈ１〜Ｈ４）  発射ハンドル
１  外枠
２  前枠
３ａ，３ｂ  ヒンジ機構
４  施錠装置
５  ガラス扉
６  球皿ユニット
７  遊技盤
１０  ハンドルベース
１１  支軸部
１２  機構収容部
１３  支持フランジ部
１４  固定受け部
１５（１５ａ，１５ｂ，１５ｃ）  支軸
１６  連結ピン
１７  発射停止ボタン
１８  作動スイッチ
１９  バネ支柱
２０  回動レバー
２１  グリップ部
２２  指掛け部
（２２ａ  第１指掛け部、２２ｂ  第２指掛け部、２２ｃ  第３指掛け部）
２３  周壁部
２５（２５ａ，２５ｂ）  回動規制溝
２６  ピン係合孔
３０  キャップ体
４０  補助部材収容部
４１  支持ボス
４２  スリット係合リブ
４３  台座リブ
４４  張出開口
５０  固定補助部材
５１  支持孔部
５２  スリット部
５３  座部
５４  変移係合部
５５  導入部
５６  薄片部
５８  固定ネジ
６０  補助部材収容部
６２  レバー口
６３（６３ａ６３ｂ）  挟持リブ
７０  固定補助部材
７３  掛止辺部
７４  変移固定突起
７５  受圧面
８０  固定操作レバー
８２  操作レバー部
８３  押圧カム部
８５  固定操作レバー
８６  揺動軸部
８７  嵌合軸
８８  操作レバー部
９０  固定補助部材
９２  揺動軸部
９３  嵌合孔
９４  変移固定突起
１００  固定補助部材
１０２  操作レバー部
１０３  掛止辺部
１０４  変移固定突起